(57)【要約】      （修正有）【課題】背中の手の届かない箇所や身体全体の皮膚で痒みや痛み、筋肉痛、湿疹、吹出物日焼けその他皮膚で起こるトラブルに、容易に対処可能な看護用ブラシを提供する。【解決手段】高齢化社会が進む中、一人暮らしが多くなり、背中の手の届かない箇所が痒くなっても掻いて貰う人がなく、特に痒み止めの薬を塗ることができない場合でもと不可能な手段として、掻き棒を三段分け組み立て式にし、先端に歯ブラシ状先棒、継ぎ足し用の中棒と後棒を設け、持手を長くしたり短くしたりして患部に先端が届くようにした。先棒はローラ式回転ブラシとして、薬をブラシに塗って患部上を移動させれば、薬塗布とマッサージ、美肌効果が期待できる。【選択図】図４
2007160047.tif 000002
【特許請求の範囲】
【請求項１】
背中等の手の届かない部分箇所の皮膚がむずむずして痒い時に、棒の先が手の形をした孫の手で痒い箇所を掻いて痒みを和らげています。この手法を一部取入れて大きく改良し、多種多様に利用でき、利便性にとんだ発明です。特許請求の範囲として、掻き棒を三段に分けて組立式にして、先端部は歯ブラシ状の先棒で、中棒と後棒は継ぎ足して、持手を長くしたり短くして痒い箇所や患部に適切に届くように使い分けできる。先端の先棒は、目的に応じて使い分けできる様に、多種類の形状のものがあり、使用目的によって差し替えができる。従来の孫の手は痒い所を掻くのみでしたが、本発明では痒い箇所掻き、痒み止め薬塗り、虫刺され薬塗り、湿布薬塗り、肌荒れ薬塗り、日焼け止め薬塗り、皮膚病薬塗り、筋肉痛薬塗り、肌クリーム塗り、皮膚マッサージ、その他手の届かない箇所や患部に、人の手を借りずにいつでもどこでも使用でき、合理的で便利性に富んでいる。また身体の皮膚が痒い時は、手の届く近い箇所でも先棒が歯ブラシ状のもので痒いところをこすると、ブラシの肌触りが心地よく和らげる。ブラシに痒み止め薬の軟膏をつけて痒い患部に擦り付けると、ブラシ効果がともない、患部を穏やかに回復する。指に軟膏を付けないので指を洗う必要がなく清潔で無駄がない。筋肉痛の場合は、先棒は自水性のブラシで液状の薬を自水ブラシに吸い込ませてから押し出し、皮膚に染み込ませ筋肉痛を和らげる。美肌美容には先棒がローラー式回転ブラシで、美肌用クリームをローラーに塗ってから肌にローラーを回転させ血行を良くし、皮膚肌を活性化して美肌を促進する。頭部の毛髪箇所には、先棒は硬い毛足が好適で動かすことで頭部の毛を分け入り皮膚に薬を塗りこむことができる。自在に持手を長くしたり縮めたりして身体のあらゆる箇所に薬剤を塗ったり、先棒の多様な種類で様々な目的に使い分けできる合理的で利便性に富み、健康の肌を保つことのできる、看護の手ブラシ。
【発明の詳細な説明】
【技術分野】
【０００１】  本発明は、身体の手の届かない痒い箇所を人の手を借りる事なく、掻いたりまた薬剤を塗り込んだりして痒みを和らげる。先棒、中棒、後棒の３段に分かれ持ち手を長くしたり縮めたりして目的の箇所を掻いたり薬剤を塗ったりすることができる。先棒のブラシは痒い箇所を心地よく解消する。幼年期、少年期、成年期、中年期、老年期によって皮膚は変化して行くのでブラシの毛足が、長い、短い、弱い、やわらかい、硬いを体質に合わせて使い分けできるように先棒を取替えできる。また液体薬や軟膏薬によってブラシの毛質を自水毛、撥水毛、狸毛と区別して使用できる。病院や薬局で薬剤を入手しても、患部に手が届かない場合は、誰かに塗ってもらうしかないが、いつ痒みが起こるかわからない時に、誰かがいれば良いが、２４時間人をあてにするわけにはいかない。本発明があれば、２４時間常に痒み止めを塗ったりすることができ、他の人に頼らなくても良い。自分の手で使用すれば掻き加減がわかり適正であるとともに、対応がはやいので、患部をスピーディーに良好にすることができる、健康用具の分野である。
【背景技術】
【０００２】  年齢を増すにつれ、皮膚の老化が進み、乾燥肌が多くなり、肌の痒みが大半の老人が増えています。指で掻いたり爪で掻いたりしますが、汚れた指や爪で引っ掻くと、老人の皮膚は弱いので、化膿することも多いといわれます。また背中の手の届かない箇所を掻いてくれと家族に頼むことが多いと言われている。老人ホームで看護師が一番多く頼まれることは背中を掻いてくれです。自分の手が届かないからと言います。掻く道具として棒の先に手の指の形をした孫の手がありますが、一般にこれを使用して背中の手の届かない箇所を掻いて痒みを和らげています。広く普及していてどこの家庭にも置いています。ただこれでは棒で擦るだけで、一時的に痒みを取るだけで、治療薬を塗ることはできない。また棒で擦ると皮膚の汚れた垢を棒先で擦るので、不衛生で細菌等の化膿を受けるので、痒み止め薬を塗ることを皮膚科の医師は進めている。
【発明の開示】
【発明が解決しようとする課題】
【０００３】  最近は生活環境や飲食物によるアレルギー皮膚炎が多く、痒いことから指や爪で引っ掻き炎症を起こしています。老人は乾燥肌で痒くなり、掻くとさらに強い痒みとなり皮膚炎を起こすケースが多い。これらの点を簡単な方法で解決するために、皮膚を清潔で優しく撫でる歯ブラシと同様のブラシを棒先に角度良く固定して、痒い時は痒み止め薬をブラシにつけて、歯磨きの方法でブラシで撫でるとブラシの程好い感触で、自律神経から副交感神経に働き、心地よく痒みを和らげる。ブラシは気持ちよく掻くのと、薬を皮膚に塗り込み治療することや皮膚の垢をブラシ内に挟み込んで除去し清潔にする。ブラシには数多くの種類を設けることができ、毛足の長い、短い、柔らかい、硬い、自水、撥水と多様に使い分けできる。液薬は自水性ブラシ、軟膏は撥水性ブラシ、美肌クリームは柔らかいブラシ、できものには狸毛ブラシで薬を塗る。手の届かない箇所には持手棒を長くして痒い箇所を掻き、手近の箇所は先棒、中棒を利用する。この様に適性の方法で皮膚肌に良好な治療やケアーをする課題である。
【課題を解決するための手段】
【０００４】  上記の課題を解決するために、図１の２のブラシには多様なタイプがあり、症状にあわせて取り替えられ、薬の液体や軟膏によっても使い分けできる。身体の正面の顔から足までは１の先棒、持手をもって使用し、後面の上部肩と腹から足にかけては図４の１と３の中棒持手を繋ぎ使用する。背中の届かぬ箇所は５の後棒持手を繋いで使用する。この３タイプで身体のすべての箇所をもれなく掻いたり、治療薬を塗ったり、美容クリームやマッサージを手軽にすることができる。爪や指で掻いたり塗ると不衛生で、爪などで皮膚に傷をつけて化膿して悪化することがある。ブラシで掻くと心地よく肌に感じるので薬か皮膚に染み込み効果が高く、清潔で皮膚に優しく安全に取扱いができるので子供から老人が常に身近に置いたり、組立式でコンパクトにできるので、携帯して持ち歩きができ、便利である。
【発明の効果】
【０００５】  本発明は以上説明したように、身体全体のあらゆる箇所の痒みや痛み、筋肉痛、傷、湿疹等に薬を誰の手も借りずに塗ったり掻くことが、安全、清潔、手軽で効果的に行える。ブラシの肌触りは誰にでも気持ちよく受けられて患部等を穏やかに和らげて痒みや痛みを解消してくれる。従来の孫の手は、掻くことはできても薬を塗ることはできない。また掻く先が単一で多様の対応ができないが、本発明は今までに全く例のない方法でしかも単純な構造で使いやすく安全である。現代は核家族や一人暮らしの家庭も増え、背中の手の届かない箇所に薬を塗ることができなくて困っている人が多い。本発明があれば目的や症状に合わせてブラシを変えて各自の手で全部対応できる。ブラシは歯ブラシの構造と同じで、歯磨きをする時、歯茎や口内の皮膚を磨き長年に渡り安全性や歯磨きの高度な技法が認められ、世界中で日常毎日人々が使用し、歯と歯茎の健康が維持されている。その歯ブラシのすばらしい利点を生かし皮膚で起こる様々な痒み、筋肉痛、老化、皮膚病、傷等に薬を安全に塗ることや美容と健康の促進に大きな効果がある。
【発明を実施するための最良の形態】
【０００６】  薬は薬局で自由に買い求め自由に使用できます。また医薬品も医師の処方薬を出して貰い誰でも使用が認められています。これらの薬の特徴や成分を理解した上でブラシの種類を選択するのと体質や年齢による肌の特徴の合わせたマニュアルを作成して当たることが重要です。薬液はこのタイプ、軟膏はこのブラシ、美容クリームはこのタイプと明確に取扱い説明書を付けることが大切です。人それぞれに皮膚の性質にも差があり、アレルギーを持つ人やアトピーなどもありますので、念のため皮膚の一部に少し薬をブラシで塗り、少し時間をおいて問題がなければそのブラシを使うようにする。使用した後は必ず洗剤で良く洗い、清潔にして保管しておく。ブラシにはタイプがあるので自分の肌に擦り心地よいものが副交感神経によって肌の血流を良くして治るのがはやい。ブラシで自分で自分の身体に薬を塗る事は、医療行為ではなく健康行為で、ブラシの力加減は気持ちの良い加減が適正な基準で最良の形態である。
【実施例】
【０００７】  以下、図面を参照して本発明の看護の手ブラシを使用した実施例を説明すると、図１の１は先棒持手で、２はブラシで薬液や軟膏を付けて痒い箇所を掻いたり、痒み止め薬を塗り、痒みに解消がはかれる。図２の３は中棒持手で４の継ぎ手を１に押し込んで持手を長くして患部を掻いたり、薬を塗ることができる。図３は手の届かない箇所にブラシが届くようにし、痒い箇所を掻いたり、薬が塗れるように持手を長くしている。この３タイプで身体全部の痒い箇所を掻いたり、薬を塗ることができる。図４は１の先棒持手に３の中棒持手を継ぎ、５の後棒持手を３に差し込んだ斜視図で、身体の箇所によって長くしたり短くしたりして使用する。図５は自水性のブラシに８の液体薬を７のスポイドで注入して薬を患部に塗りこむ様にしている。図６の１１はローラー式ブラシで９のクリームを１１に１０の刷毛で塗りつけてから患部に付着させるローラーブラシの構造になって、主に美容の目的に使用される。図７は基本的なブラシ構造で歯ブラシと同じであり、毛足の長い、短い、柔らかい、硬いと多くのタイプを作ることができ、本発明の本命である。なお本発明に使用される素材は、プラスチック、金属、ウレタン、動物毛、竹、木、ガラス、皮、セラミック等である。使用される薬剤は、メンソレータム、オロナイン、ムヒ、キンカン、アロエクリーム、アンメルツ、発毛剤、ヨウドチンキ、赤チン、テラマイシン。
【産業上の利用可能性】
【０００８】  私達の皮膚の面積は、片手の手のひらの１００倍あり、臓器として皮膚呼吸や新陳代謝等で身体を守っています。皮膚の寿命は４２日で垢となって剥がれおちるが、その間に痒みや痛み、吹出物、傷、日焼け、その他のトラブルが発生する場合があります。子供の場合、痒い箇所を爪で掻き過ぎて皮膚に炎症を起こすことが多い。高齢者になると乾燥肌で痒み、痛みが増え、悩まされています。これらを解決するには、痒いから掻くのではなく、痒い場合は痒み止め薬を一緒に塗る事が大切ですが、一番痒みが起こる箇所は背中の手の届かない場所で、孫の手等で掻きますが、薬を塗ることができない難点があった。本発明はこれらの難点を解決でき、手の届く箇所や身体全体の皮膚をブラシで優しく気持ち良く薬を塗りながら掻くことが手軽にでき、痒みや痛みをスピーディーに解消できる。海水浴で日やけ止めを塗る時でも誰の手も借りずに塗る事もでき、皮膚炎を起こした時でも直ぐに対応できる。肌の美容にもブラッシングしながらクリームを塗ることができるので効果は非常に高い。ブラシで皮膚をマッサージすると血流が良くなり、健康肌になる。本発明は上記で述べたように、皮膚全体の健康を保護する健康産業に参入できる健康器具で、薬局やドラッグストアーで普及販売の利用性が高い。環境に優しい素晴らしい器具である。なお、この発明は持手を継がない、一本角度変え手持。ブラシの部分を電動式にすること、ブラシを抗菌タイプ、ブラシから自動的に薬やクリームその他を出すこと、ブラシに電熱ヒーターを設置することなどを付け加えることもできる。
【図面の簡単な説明】
【０００９】
【図１】本発明の先棒ブラシ斜視図
【図２】本発明の中棒持手の斜視図
【図３】本発明の後棒持手の斜視図
【図４】本発明の組立方法の斜視図
【図５】本発明に薬液注入の斜視図
【図６】本発明にクリーム塗り斜視図
【図７】本発明にチューブ軟膏付け斜視図
【符号の説明】
【００１０】  １  先棒持手
２  ブラシ
３  中棒持手
４  継挿し
５  後棒持手
６  自水ブラシ
７  スポイド
８  薬液
９  クリーム
１０  刷毛
１１  ローラーブラシ
１２  チューブ軟膏
【図１】
2007160047.tif 000003
【図２】
2007160047.tif 000004
【図３】
2007160047.tif 000005
【図４】
2007160047.tif 000006
【図５】
2007160047.tif 000007
【図６】
2007160047.tif 000008
【図７】
2007160047.tif 000009